(57)【要約】      （修正有）【課題】水その他の材料を内部に貯蔵することができる耐荷重性又は非耐荷重性の構造を組み込んだ家具を提供する。かかる貯蔵容量を家具内に組み込むことにより、ユーザは、従来使用されず又は使用できなかった空間を利用して非常用水源又はその他の所望の材料を目立たず便利に貯蔵することが可能となる。【解決手段】１つ以上の再利用可能な水貯蔵容器1212は、椅子、テーブル1200、又はその他の家具のための耐荷重構造または非耐荷重構造として使用可能である。水その他の材料をくみ出すために、ユーザは、テーブル1200の天板1202又は椅子の座部を取り外すこと又はその他のアクションを行うことにより、貯蔵容器1212へのアクセスを得ることが可能である。また、ポンプアセンブリ1206を家具に組み込んで、家具が通常位置にある場合であってもユーザがその貯蔵容器1212からくみ出すことができるようにすることが可能である。【選択図】図１２Ａ
2019177142.tif 000002
【特許請求の範囲】
【請求項１】
一体型の貯蔵容量を有する椅子であって、
座部と、
該座部を床面より上方に支持するよう構成された１つ以上の耐荷重性の貯蔵容器と
を備えている、一体型の貯蔵容量を有する椅子。
【請求項２】
前記１つ以上の耐荷重性の貯蔵容器が非常用水貯蔵手段を形成するものである、請求項１に記載の椅子。
【請求項３】
一体型の貯蔵容量を有するテーブルであって、
底面を有する取り外し可能なテーブル天板と、
該底面と係合して該テーブル天板を支持することができるよう構成された１つ以上の耐荷重性の貯蔵容器と
を備えている、一体型の貯蔵容量を有するテーブル。
【請求項４】
前記１つ以上の耐荷重性の貯蔵容器が非常用水貯蔵手段を形成するものである、請求項３に記載のテーブル。
【請求項５】
前記１つ以上の耐荷重性の貯蔵容器が車輪付き基部により支持されている、請求項３に記載のテーブル。
【請求項６】
高さ延長手段が、前記１つ以上の耐荷重性の貯蔵容器の各々と前記底面との間に結合される、請求項３に記載のテーブル。
【請求項７】
前記底面が、前記高さ延長手段の一端に係合するような形状及び寸法を有する１つ以上の受容部を含み、該高さ延長手段の他端が、前記１つ以上の耐荷重性の貯蔵容器のうちの１つと係合するよう構成されている、請求項６に記載のテーブル。
【請求項８】
前記１つ以上の耐荷重性の貯蔵容器が車輪無しの基部により支持されている、請求項３に記載のテーブル。
【請求項９】
前記テーブルが、前記１つ以上の耐荷重性の貯蔵容器に結合されたポンプアセンブリに適合するよう構成されている、請求項３に記載のテーブル。
【請求項１０】
１つ以上の耐荷重性の貯蔵容器により提供される一体型の貯蔵容量を有する家具を備えた装置であって、該１つ以上の耐荷重性の貯蔵容器が該家具を床面上に支持するよう構成されている、装置。
【発明の詳細な説明】
【技術分野】
【０００１】
本発明は、一般に家具に関し、特に水その他の材料を貯蔵することができる耐荷重構造又は非耐荷重構造を有する家具に関するものである。
【背景技術】
【０００２】
天災や停電等の考え得る非常事態に備えて、公的安全機関は、携帯型の水源を容易にアクセスできる場所に保管することを住民に推奨することが多い。停電又は汚染によって（地方自治体の又は個人の）通常の水源が使用できなくなる非常時に、かかる備えを有する住民は、少なくとも短期間にわたり持ちこたえるだけの飲料水を有することになる。
【発明の概要】
【発明が解決しようとする課題】
【０００３】
十分な容量の非常用水源の作成に関連して生じることの多い１つの問題として、貯蔵空間が不十分であること挙げられる。例えば、FEMA（Federal Emergency Management Agency：米連邦緊急事態管理局）は、少なくとも３日分の非常用水源（一日につき一人あたり少なくとも１ガロン（約４リットル）の飲料専用水）を貯蔵することを推奨している。不測の需要に備えて更に余裕をみて該推奨に従った場合、４人家族は、少なくとも１５ガロン（約６０リットル）だけ貯蔵する必要がある。更に、４人家族が約１週間継続する非常時に備えるには、約３５ガロンの水（例えば５ガロン（約２０リットル）容器７個）を貯蔵する必要があることになる。このため、数人分の妥当な非常用水源を貯蔵する場合であっても、大きな貯蔵空間がすぐに必要となる。更に、容易にアクセスできるように非常用水源を貯蔵することが望ましいが、水の入った重い容器を頻繁に移動させることを望む人は殆どおらず又は全くいない。また、殆どの人は、自分の家の雰囲気及び装飾が損なわれるのを回避するために、目立たず審美的に許容できる態様で非常用水源を貯蔵することを好むことになる。
【課題を解決するための手段】
【０００４】
要するに、本発明は、水その他の材料を貯蔵することが可能な耐荷重構造又は非耐荷重構造を有する様々な家具を提供する。かかる貯蔵容量を家具に組み込むことにより、ユーザは、これまで使用されず又は使用できなかった空間を利用して、非常用水源またはその他の所望の材料を目立たないように且つ便利に貯蔵することが可能となる。
【０００５】
本発明の一実施形態では、１つ以上の再利用可能な水貯蔵容器は、椅子、テーブル、又はその他の家具のための耐荷重構造として使用される。別の実施形態では、１つ以上の再利用可能な水貯蔵容器は、家具の非耐荷重構造として使用することが可能である。本発明の更に別の実施形態では、特定の形状及び寸法を有する１つ以上の再利用可能な水貯蔵容器は、家具の耐荷重構造又は非耐荷重構造として使用することが可能である。
【０００６】
本発明の更に別の実施形態では、水その他の材料をくみ出すために、ユーザは、テーブルの天板又は椅子の座部を取り外すこと又はその他のアクションを行うことにより、貯蔵容器へのアクセスを得ることが可能である。別の実施形態では、ポンプアセンブリを家具に組み込んで、該家具が通常位置にある場合であってもユーザがその貯蔵容器からくみ出すことができるようにすることが可能である。
【図面の簡単な説明】
【０００７】
【図１Ａ】本発明の好適な一実施形態によるタスクチェアの正面図であり、その耐荷重性の基部は、非常用水源の貯蔵に使用することができる貯蔵容器を含む。
【図１Ｂ】図１Ａのタスクチェアの側面図である。
【図１Ｃ】図１Ａのタスクチェアの背面図である。
【図２Ａ】丸テーブルの側面図であり、その耐荷重性の基部は３つの貯蔵容器を含む。
【図２Ｂ】図２Ａに示すテーブルの平面図である。
【図２Ｃ】図２Ａに示すテーブル天板の代替的な一実施形態の底面を示す図である。
【図２Ｄ】図２Ｃのテーブル天板と互換性を有するテーブル高さ延長手段を示す斜視図である。
【図２Ｅ】図２Ｃのテーブル天板と互換性を有するテーブル高さ延長手段を示す斜視図である。
【図２Ｆ】図２Ｃのテーブル天板と互換性を有するテーブル高さ延長手段を示す斜視図である。
【図３Ａ】正方形テーブルの側面図であり、その耐荷重性の基部は、装飾的な筐体内に４つの貯蔵容器を含む。
【図３Ｂ】図３Ａに示すテーブルの平面図である。
【図４Ａ】長方形テーブルの側面図であり、その耐荷重性の基部は、装飾的な筐体内に５つの貯蔵容器を含む。
【図４Ｂ】図４Ａに示すテーブルの平面図である。
【図５Ａ】中空の台座型基部を有する丸テーブルを示す斜視図である。
【図５Ｂ】図５Ａのテーブルの中空の台座型基部内に収容することが可能な貯蔵容器を示す斜視図である。
【図６Ａ】貯蔵容器を収容する基部を有する肘掛け椅子を示す斜視図である。
【図６Ｂ】貯蔵容器を収容する基部を有する肘掛け椅子を示す斜視図である。
【図６Ｃ】貯蔵容器を収容する基部を有する肘掛け椅子を示す斜視図である。
【図６Ｄ】貯蔵容器を収容する基部を有する肘掛け椅子を示す斜視図である。
【図６Ｅ】貯蔵容器を収容する基部を有する肘掛け椅子を示す斜視図である。
【図７Ａ】貯蔵容器にそれぞれ適応することが可能な布張り椅子及びオットマンを示す斜視図である。
【図７Ｂ】図７Ａに示す椅子の断面図であり、該椅子の座部の下方に収容された貯蔵容器を示している。
【図８Ａ】様々な家具形式で使用するよう適応させることが可能な、水その他の材料を貯蔵するための耐荷重性の貯蔵容器を示す斜視図である。
【図８Ｂ】図８Ａに示す貯蔵容器を含む様々な椅子及びテーブルを示す斜視図である。
【図８Ｃ】図８Ａに示す貯蔵容器を含む様々な椅子及びテーブルを示す斜視図である。
【図８Ｄ】図８Ａに示す貯蔵容器を含む様々な椅子及びテーブルを示す斜視図である。
【図８Ｅ】図８Ａに示す貯蔵容器を含む様々な椅子及びテーブルを示す斜視図である。
【図８Ｆ】図８Ａに示す貯蔵容器を含む様々な椅子及びテーブルを示す斜視図である。
【図８Ｇ】図８Ａに示す貯蔵容器を含む様々な椅子及びテーブルを示す斜視図である。
【図８Ｈ】図８Ａに示す貯蔵容器を含む様々な椅子及びテーブルを示す斜視図である。
【図９Ａ】様々な家具形式で使用するよう適応させることが可能な、水その他の材料を貯蔵するための耐荷重性の貯蔵容器を示す斜視図である。
【図９Ｂ】図９Ａに示す貯蔵容器を含む様々な椅子及びテーブルを示す斜視図である。
【図９Ｃ】図９Ａに示す貯蔵容器を含む様々な椅子及びテーブルを示す斜視図である。
【図９Ｄ】図９Ａに示す貯蔵容器を含む様々な椅子及びテーブルを示す斜視図である。
【図９Ｅ】図９Ａに示す貯蔵容器を含む様々な椅子及びテーブルを示す斜視図である。
【図９Ｆ】図９Ａに示す貯蔵容器を含む様々な椅子及びテーブルを示す斜視図である。
【図９Ｇ】図９Ａに示す貯蔵容器を含む様々な椅子及びテーブルを示す斜視図である。
【図９Ｈ】図９Ａに示す貯蔵容器を含む様々な椅子及びテーブルを示す斜視図である。
【図１０】水その他の材料を貯蔵するために使用することが可能な１つ以上の貯蔵容器を収容するための凹領域を含む天板を有する長方形テーブルを示す斜視図である。
【図１１】水その他の材料を貯蔵するために使用することが可能な１つ以上の貯蔵容器を収容するための凹領域を含む座部を有する椅子を示す斜視図である。
【図１２Ａ】貯蔵容器及びポンプアセンブリを含む耐荷重性の基部を有するテーブルを部分的に分解して示す斜視図である。
【図１２Ｂ】図１２Ａに示すテーブルを完全に組み立てた状態で示す側面図である。
【図１３Ａ】貯蔵容器が収容されているキャビネット基部を有するテーブルを示す側面図である。
【図１３Ｂ】ドア付きのキャビネット基部を有するテーブルを示す斜視図である。
【図１４Ａ】貯蔵容器が収容される内部区画を有するオットマンを示している。
【図１４Ｂ】貯蔵容器が収容される内部区画を有するオットマンを示している。
【図１４Ｃ】貯蔵容器が収容される内部区画を有するオットマンを示している。
【図１５】積み重ね可能な耐荷重性の貯蔵容器からなる台座支持手段を有するテーブルを示す側面図である。
【図１６Ａ】貯蔵容器を支持するキャビネットを示す側面図である。
【図１６Ｂ】貯蔵容器により支持されるキャビネットを示す側面図である。
【発明を実施するための形態】
【０００８】
図１Ａ−１Ｃを参照すると、タスクチェア100は、座部及び背もたれアセンブリ102を含む。支持手段108の上端は、該アセンブリ102の底面に機械的に固定されている。該支持手段108の下端は、貯蔵容器と係合してその上部に支持されると共に該アセンブリ102の底面が注ぎ口から離間した状態に保たれるような形状及び寸法を有している。貯蔵容器104は、好適には、タスクチェア100に予想される通常の荷重（例えば、座った人）を支持すると共に適当な高さを提供するための、適当な容量、寸法、及び強度を有する、再利用可能なプラスチック容器である。好適には、アセンブリ102が支持手段108から取り外し可能であり、又は支持手段108が貯蔵容器104から取り外し可能であり、これによりユーザが注ぎ口110に容易にアクセスすることが可能となる。貯蔵容器104の底部は、タスクチェア100が自由に転がることを可能にする随意選択的な車輪付き基部106に固定される。
【０００９】
貯蔵容器104は、タスクチェア100の耐荷重構造として機能する。更に、貯蔵容器104は、水その他の材料の貯蔵手段として機能する。その結果として、従来椅子により占有されていた空間が有利にも、非常用水貯蔵手段又はその他の所望の貯蔵手段へと変わる一方、椅子の本来の機能が維持される。
【００１０】
図２Ａ,２Ｂは、３つの貯蔵容器204により支持された丸いテーブル天板202を有するテーブル200を示しており、該３つの貯蔵容器204が共に台座を形成する。それら貯蔵容器204は、共にテーブル天板202の荷重並びに該テーブル天板上に載置されたあらゆる荷重を担う。テーブル天板202の底面は、貯蔵容器204の各注ぎ口に適合する位置及び寸法をそれぞれ有する３つの凹部210a,210b,210cを含む。代替的に、テーブル天板202は、ブラケット、クリップ、又はソケット等の様々な従来の構成により貯蔵容器204に固定することが可能であり、該構成は好適には、注ぎ口にアクセスするためにテーブル天板202を取り外すことを可能にするものとなる。貯蔵容器204は、随意選択的な車輪付き基部206に固定される。
【００１１】
図２Ｃに示すように、テーブル天板に凹部を配設する代わりに、テーブル天板212の底面に３つの丸い受容部214a,214b,214cを取り付けることが可能である。該受容部214a-214cの各々は、図２Ｄ−２Ｆに示すテーブル高さ延長手段216,218,220の上端を受容するための形状及び寸法を有する。該高さ延長手段216,218,220の各々の下端は、貯蔵容器204の注ぎ口に機械的に係合するよう構成される。高さ延長手段216,218,220は、単純な滑動式の摩擦嵌合、ねじ接続、又は特定の注ぎ口の設計にとって好都合で互換性のある他の構成で実施することが可能である。代替的に、貯蔵容器204又は床（又はその両方）と機械的に係合すると共に予想される荷重を担うことができる他の支持構造を使用することが可能である。例えば、貯蔵容器204と機械的に係合すると共にテーブル200の高さを調整するための便利な方法を提供するようにはさみ状の脚部（scissor legs）を構成することが可能である。
【００１２】
図３Ａ,３Ｂは、正方形の中空の台座304により支持された正方形のテーブル天板302を有するテーブル300を示している。テーブル天板302の底面は、台座304の上縁上に載置される。台座304内には、４つの貯蔵容器306が配設される。貯蔵容器306の注ぎ口310に対するアクセスは、台座304からテーブル天板302を持ち上げて取り外すことにより得ることができる。代替的に、台座304は、テーブル天板302を取り外すことなく貯蔵容器306へのアクセスを提供するサイドパネルドア（図示せず）を含むことが可能である。台座304又は貯蔵容器306は、単独でテーブル天板302の荷重を担うよう構成することが可能であり、代替的に該荷重を分担し合うことが可能である。本書で開示する別の実施形態についても、同様の構成を実施することが可能である。
【００１３】
図４Ａ,４Ｂは、長方形の中空の台座404により支持された長方形のテーブル天板402を有するテーブル400を示している。テーブル天板402の底面は台座404の上縁上に載置される。台座404内には、５つの貯蔵容器408が配設される。貯蔵容器408の注ぎ口410に対するアクセスは、台座404からテーブル天板402を持ち上げて取り外すことにより、代替的には、台座404にサイドパネルドア（図示せず）を配設することにより、得ることができる。
【００１４】
図５Ａは、丸い中空の台座504により支持された丸いテーブル天板502を有するテーブル500を示している。台座504は、図５Ｂに示す円筒形の貯蔵容器506に適合する形状及び寸法を有する。貯蔵容器506は、その上面に充填口508を含む。このため、テーブル天板502を取り外すことにより、ユーザは、貯蔵容器506に充填又は取り出しを行うべくアクセスすることが可能となる。貯蔵容器506は、その高さ、台座504の高さ、及び該貯蔵容器506のために選択した材料に応じて、耐荷重性又は非耐荷重性のものとすることが可能である。
【００１５】
図６Ａは、区画604に対するアクセスを提供する少なくとも１つの取り外し可能な肘掛け602を有する肘掛け椅子600を示している。区画604は、１つ以上の貯蔵容器606を収容する。肘掛け602は、区画604と摩擦係合するような形状及び寸法を有するパネル608を含む。
【００１６】
図６Ｂに示す代替的な実施形態では、肘掛け椅子610は、ブロック614を含む取り外し可能な肘掛け612を有している。ブロック614は、肘掛け612が肘掛け椅子610に取り付けられる際にスロット616と嵌合するような形状及び寸法を有している。区画618は、１つ以上の貯蔵容器620を収容し、ドア622によりアクセスすることが可能となっている。
【００１７】
図６Ｃに示す別の代替的な実施形態では、２つの前記肘掛け椅子610の各々から肘掛けが１つずつ取り外され、該２つの肘掛け椅子610が機械的に固定されて、ベンチ又は二人掛け椅子624が形成されている。該二人掛け椅子624は、各肘掛け椅子610の背面の上隅に配設されたスロット628と係合するような形状及び寸法を有する背面クリップ626（図６Ｄ）により固定される。同様に、正面クリップ630（図６Ｅ）は、各肘掛け椅子610の正面の下隅に配設されたスロット632と係合するような形状及び寸法を有している。
【００１８】
貯蔵容器606,620は、それらの寸法及び該貯蔵容器のために選択した材料に応じて耐荷重性又は非耐荷重性のものとすることが可能である。
【００１９】
図７Ａは、布張り椅子700及びオットマン702を示している。図７Ｂに示すように、随意選択的な車輪付き基部706を有する貯蔵容器704は、該椅子700の下方のキャビティ708内に適合するような形状及び寸法を有している。貯蔵容器704は、その高さ、キャビティ708の高さ、及び該貯蔵容器のために選択された材料に応じて、耐荷重性又は非耐荷重性のものとすることが可能である。貯蔵容器704へのアクセスは、椅子700を側方へ回転させることにより、代替的には、椅子700を持ち上げて貯蔵容器以外の場所に移動させることにより、得ることが可能である。代替的又は追加的に、適当な形状及び寸法の別の貯蔵容器（図示せず）をオットマン702の下方のキャビティ内に配設することが可能である。何れの場合も、貯蔵容器704は、ユーザの装飾性を損ねることのない便利で目立たない態様で貯水を提供するものとなる。
【００２０】
図８Ａは、中空の基部804上に取り付けられた支持手段802を含む耐荷重性の貯蔵容器800のための代替的な設計を示している。図８Ｂ,８Ｄ,８Ｅに示すように、貯蔵容器800は、様々な椅子806,808,810のための耐荷重性貯蔵構造として働くよう適合させることが可能なものである。同様に、図８Ｃ,８Ｆ,８Ｇ,８Ｈに示すように、貯蔵容器800は、様々なテーブル812,814,816,818のための耐荷重性貯蔵構造として働くよう適合させることが可能なものである。
【００２１】
図９Ａは、耐荷重性の水貯蔵容器900のための更に別の代替的な設計を示している。図９Ｂ,９Ｄ,９Ｅに示すように、貯蔵容器900は、様々な椅子902,904,906のための耐荷重性貯蔵構造として働くよう適合させることが可能なものである。同様に、図９Ｃ,９Ｆ,９Ｇ,９Ｈに示すように、貯蔵容器900は、様々なテーブル908,910,912,914のための耐荷重性貯蔵構造として働くよう適合させることが可能なものである。
【００２２】
図１０は、凹領域1004を画定する、４つの脚部1010及び耐荷重性フレーム1002を含むテーブル1000を示している。明瞭化のため省略したが、典型的にはテーブル天板が凹領域1004全体を覆うことになり、及び典型的には（必須ではないが）フレーム1002の縁部を超えて周辺に延びるものとなる、ということが理解されよう。凹領域1004は、注ぎ口又は入口1008をそれぞれ有する一群の貯蔵容器1006に適合するものである。貯蔵容器1006には、テーブル天板を取り外すことによりアクセスすることが可能である。代替的な実施形態では、脚部1010は、従来の台座構造、本書で開示する筐体若しくはキャビネット型台座の一方、又はその他の適当な耐荷重性構造と置換することが可能である。
【００２３】
図１１は、耐荷重性フレーム1110と、蝶番で連結された又は取り外し可能な座部1102を有する椅子1100を示しており、該座部1102を持ち上げることにより凹領域1104にアクセスすることが可能となる。注ぎ口又は入口1108をそれぞれ有する１つ以上の貯蔵容器1106は、凹領域1104内に適合するような形状及び寸法を有している。
【００２４】
図１２Ａは、テーブル天板1202、ポンプアセンブリ1206、耐荷重性貯蔵容器1212、及び随意選択的な車輪付き基部1214を含む、テーブル1200を部分的に分解して示している。テーブル天板1202は、アクチュエータ1208に適合する位置及び大きさを有する中央孔1204を含む。テーブル天板1202は、通常は環状支持手段1210上に載置され、これにより好適には図１２Ｂに示すようにアクチュエータ1208をテーブル天板1202の上面と同一平面内に又は該上面から突出させて位置させることが可能となる。アクチュエータ1208上に下方への圧力を加えることにより、ユーザは、水その他の液体を貯蔵容器1212から蛇口1216を介してグラス1218内へとくみ出すことが可能となる。このため、図１２Ａ,１２Ｂに示す実施形態では、貯蔵容器1212に貯蔵されている水その他の液体は、一般にいつでもそれを利用すべくアクセスすることが可能となり、単なる非常用供給源とみなす必要のないものである。
【００２５】
図１３Ａ,１３Ｂは、長方形の天板1302と、貯蔵容器1306を収容するキャビネット基部1304とを有するテーブル1300を示している。キャビネット1304は、貯蔵容器1306を隠すドア1308を含むことが可能であり、又はかかるドアを省略することが可能である。キャビネット1304はまた、随意選択的な車輪付き基部1310を含むことが可能である。
【００２６】
図１４Ａ−１４Ｃは、貯蔵容器1402のための区画1406を含むオットマン1400を示している。区画1406及び貯蔵容器1402へのアクセスは、ドア1404を介して得ることができる。
【００２７】
図１５は、テーブル天板1502が引き出し箱1504上に載置されたテーブル1500を示している。テーブル天板1502及び引き出し箱1504を支持する耐荷重性台座1506は、複数の積み重ね可能な耐荷重性の貯蔵容器1510から形成されている。台座1506は、随意選択的な車輪付き基部1508により支持されている。
【００２８】
図１６Ａは、非耐荷重性の貯蔵容器1602がキャビネット1604により支持されるアセンブリ1600を示している。図１６Ｂに示す代替的な実施形態では、アセンブリ1606は、キャビネット1608を支持する耐荷重性の貯蔵容器1610を含む。耐荷重性の貯蔵容器1610は、随意選択的な車輪付き基部1612内に載置されている。
【００２９】
上述した椅子、テーブル、及びその他の家具は、木材、木質複合材及び合板、プラスチック、金属、繊維、ガラス、又はそれらの材料又はその他の材料の様々な組み合わせを含む、様々な従来の材料から構成することが可能である。上述の貯蔵容器は、適宜、本質的に従来のプラスチック製の再利用可能な水貯蔵容器として実施することが可能であり、又は特定用途の要件を満たすように寸法、形状、及び材料が選択された他の貯蔵容器として実施することが可能である。特定の空間内に適合させるべく特定の寸法又は形状を必要とする上述したかかる他の水貯蔵容器は、プラスチックその他の従来の材料から構成することが可能である。上述の貯蔵容器はまた、浄化用化学薬品を自動的に解放するための機構、又は浄化用化学薬品の補充若しくはその他のアクションを行うべき旨の視覚的な喚起をユーザに提供するための機構を含むよう構成することが可能である。
【００３０】
上述の随意選択的な車輪付き基部（例えば、図１Ａに示した車輪付き基部106）の代替策として、車輪無しの基部を使用することが可能であり、該車輪無しの基部は、硬い床面上を滑動することを可能にするフェルトその他の材料で覆われた底面を含むことが可能である。
【００３１】
水を貯蔵する代わりに、上述の貯蔵容器は、他の液体、粉末、粒子、又はその他の物体を貯蔵するために使用することが可能である。
【００３２】
以下においては、本発明の種々の構成要件の組み合わせからなる例示的な実施形態を示す。
１．一体型の貯蔵容量を有するテーブルであって、
耐荷重性のフレームにより支持された取り外し可能なテーブル天板を備えており、
該耐荷重性のフレームが、該テーブル天板により覆われる凹領域を画定し、該凹領域が、１つ以上の非耐荷重性の貯蔵容器を収容し、及び、
該テーブル天板、該耐荷重性のフレーム、及び該１つ以上の貯蔵容器を床面より上方に支持するための１つ以上の耐荷重性の構造を備えている、
一体型の貯蔵容量を有するテーブル。
２．前記１つ以上の非耐荷重性の貯蔵容器が非常用水貯蔵手段を形成するものである、前項１に記載のテーブル。
３．前記テーブルが、前記１つ以上の非耐荷重性の貯蔵容器に結合されたポンプアセンブリに適合するよう構成されている、前項１に記載のテーブル。
４．一体型の貯蔵容量を有する椅子であって、
取り外し可能な座部により覆われた凹領域を画定する耐荷重性のフレームを備えており、該凹領域が、１つ以上の非耐荷重性の貯蔵容器を収容し、及び、
前記耐荷重性のフレーム、前記座部、及び前記１つ以上の貯蔵容器を床面より上方に支持するための１つ以上の耐荷重性の構造を備えている、
一体型の貯蔵容量を有する椅子。
５．前記１つ以上の非耐荷重性の貯蔵容器が非常用水貯蔵手段を形成するものである、前項４に記載の椅子。
６．一体型の貯蔵容量を有する椅子であって、
座部と、
該座部を床面より上方に支持するよう構成された１つ以上の耐荷重性の貯蔵容器と
を備えている、一体型の貯蔵容量を有する椅子。
７．前記１つ以上の非耐荷重性の貯蔵容器が非常用水貯蔵手段を形成するものである、前項６に記載の椅子。
８．一体型の貯蔵容量を有する椅子であって、
座部と、
該座部を床面より上方に支持するための１つ以上の耐荷重性の構造と、
１つ以上の非耐荷重性の貯蔵容器を収容するための区画と
を備えている、一体型の貯蔵容量を有する椅子。
９．前記１つ以上の非耐荷重性の貯蔵容器が非常用水貯蔵手段を形成するものである、前項８に記載の椅子。
１０．一体型の貯蔵容量を有するテーブルであって、
耐荷重性の台座上に支持された底面を有する取り外し可能なテーブル天板であって、該耐荷重性の台座が該底面と係合するよう構成されており、
該台座が、１つ以上の非耐荷重性の貯蔵容器を収容する、
一体型の貯蔵容量を有するテーブル。
１１．前記台座が、前記テーブル天板を取り外すことなく前記１つ以上の非耐荷重性の貯蔵容器へのアクセスを提供するドアを含む、前項１０に記載のテーブル。
１２．前記１つ以上の非耐荷重性の貯蔵容器が非常用水貯蔵手段を形成するものである、前項１０に記載のテーブル。
１３．前記テーブルが、前記１つ以上の非耐荷重性の貯蔵容器に結合されたポンプアセンブリに適合するよう構成されている、前項１０に記載のテーブル。
１４．一体型の貯蔵容量を有するテーブルであって、
底面を有する取り外し可能なテーブル天板と、
該底面と係合して該テーブル天板を支持することができるよう構成された１つ以上の耐荷重性の貯蔵容器と
を備えている、一体型の貯蔵容量を有するテーブル。
１５．前記１つ以上の耐荷重性の貯蔵容器が非常用水貯蔵手段を形成するものである、前項１４に記載のテーブル。
１６．前記１つ以上の耐荷重性の貯蔵容器が車輪付き基部により支持されている、前項１４に記載のテーブル。
１７．高さ延長手段が、前記１つ以上の耐荷重性の貯蔵容器の各々と前記底面との間に結合される、前項１４に記載のテーブル。
１８．前記底面が、前記高さ延長手段の一端に係合するような形状及び寸法を有する１つ以上の受容部を含み、該高さ延長手段の他端が、前記１つ以上の耐荷重性の貯蔵容器のうちの１つと係合するよう構成されている、前項１７に記載のテーブル。
１９．前記１つ以上の耐荷重性の貯蔵容器が車輪付き基部により支持されている、前項１４に記載のテーブル。
２０．前記テーブルが、前記１つ以上の耐荷重性の貯蔵容器に結合されたポンプアセンブリに適合するよう構成されている、前項１４に記載のテーブル。
２１．１つ以上の耐荷重性の貯蔵容器により提供される一体型の貯蔵容量を有する家具を備えた装置であって、該１つ以上の耐荷重性の貯蔵容器が該家具を床面上に支持するよう構成されている、装置。
２２．１つ以上の非耐荷重性の貯蔵容器により提供される一体型の貯蔵容量を有する家具を備えた装置であって、該家具が該１つ以上の非耐荷重性の貯蔵容器によって支持されない、装置。
【図１Ａ】
2019177142.tif 000003
【図１Ｂ】
2019177142.tif 000004
【図１Ｃ】
2019177142.tif 000005
【図２Ａ】
2019177142.tif 000006
【図２Ｂ】
2019177142.tif 000007
【図２Ｃ】
2019177142.tif 000008
【図２Ｄ】
2019177142.tif 000009
【図２Ｅ】
2019177142.tif 000010
【図２Ｆ】
2019177142.tif 000011
【図３Ａ】
2019177142.tif 000012
【図３Ｂ】
2019177142.tif 000013
【図４Ａ】
2019177142.tif 000014
【図４Ｂ】
2019177142.tif 000015
【図５Ａ】
2019177142.tif 000016
【図５Ｂ】
2019177142.tif 000017
【図６Ａ】
2019177142.tif 000018
【図６Ｂ】
2019177142.tif 000019
【図６Ｃ】
2019177142.tif 000020
【図６Ｄ】
2019177142.tif 000021
【図６Ｅ】
2019177142.tif 000022
【図７Ａ】
2019177142.tif 000023
【図７Ｂ】
2019177142.tif 000024
【図８Ａ】
2019177142.tif 000025
【図８Ｂ】
2019177142.tif 000026
【図８Ｃ】
2019177142.tif 000027
【図８Ｄ】
2019177142.tif 000028
【図８Ｅ】
2019177142.tif 000029
【図８Ｆ】
2019177142.tif 000030
【図８Ｇ】
2019177142.tif 000031
【図８Ｈ】
2019177142.tif 000032
【図９Ａ】
2019177142.tif 000033
【図９Ｂ】
2019177142.tif 000034
【図９Ｃ】
2019177142.tif 000035
【図９Ｄ】
2019177142.tif 000036
【図９Ｅ】
2019177142.tif 000037
【図９Ｆ】
2019177142.tif 000038
【図９Ｇ】
2019177142.tif 000039
【図９Ｈ】
2019177142.tif 000040
【図１０】
2019177142.tif 000041
【図１１】
2019177142.tif 000042
【図１２Ａ】
2019177142.tif 000043
【図１２Ｂ】
2019177142.tif 000044
【図１３Ａ】
2019177142.tif 000045
【図１３Ｂ】
2019177142.tif 000046
【図１４Ａ】
2019177142.tif 000047
【図１４Ｂ】
2019177142.tif 000048
【図１４Ｃ】
2019177142.tif 000049
【図１５】
2019177142.tif 000050
【図１６Ａ】
2019177142.tif 000051
【図１６Ｂ】
2019177142.tif 000052